(57)【要約】  ポインタ光を投影するポインタ光投影系（１００）と、測定対象の位置を測定する測定光学系（３２）と、測定対象を視準する視準光学系（２００）とを備え、測定光学系（３２）と視準光学系（２００）の光路の一部を共通にし、ポインタ光の波長帯の光と、この波長帯を挟む両側の波長帯の光とを分離させるダイクロイックミラー（４８）を共通光路に配置し、ダイクロイックミラー（４８）は、入射してくる前記ポインタ光の波長帯を挟む両側の波長帯の光を撮像素子（２０４）に受光させる。
2016039053.tif 000002
【特許請求の範囲】
【請求項１】
測定対象に赤色のポインタ光を投影するポインタ光投影系と、
前記ポインタ光が投影された測定対象の位置を測定する測定光学系と、前記測定対象を視準する視準光学系とを備えた測量装置であって、
ポインタ光受光系と前記視準光学系の光路の一部を共通にするとともに、前記ポインタ光の波長帯の光とこの波長帯を挟む両側の波長帯の光を分離させる第１ダイクロイック光学素子を配置し、
該第１ダイクロイック光学素子は、前記ポインタ光の波長帯を挟む両側の波長帯の光を前記視準光学系の撮像素子に受光させることを特徴とする測量装置。
【請求項２】
前記測定光学系は、測定光を測定対象に投影する測定光投影系を有し、
この測定光投影系は、前記ポインタ光投影系を兼用することを特徴とする請求項１に記載の測量装置。
【請求項３】
前記測定対象に追尾光を照射する追尾光照射系と、該測定対象で反射した反射追尾光を受光する追尾光受光系とを備え、
前記追尾光照射系とポインタ光投影系又は測定光投影系の光路の一部を共通にしたことを特徴とする請求項１または請求項２に記載の測量装置。
【請求項４】
前記ポインタ光の波長は６２０〜６６０nmであり、
前記ダイクロイック光学素子は、６２０〜６６０nmの波長の光に対して、４００〜６００nmの波長の光と、６７０〜７５０nmの波長の光を分離させることを特徴とする請求項１ないし請求項３のいずれか１項に記載の測量装置。
【請求項５】
前記ポインタ光の波長は、６４０〜６８０nmであり、
前記第１ダイクロイック光学素子は、６４０〜６８０nmの波長の光に対して、４００〜６２０nmの波長の光と、６９０〜７５０nmの波長の光を分離させることを特徴とする請求項１ないし請求項３のいずれか１項に記載の測量装置。
【請求項６】
前記ポインタ光投影系は、ポインタ用の第１レーザ光を射出する第１レーザ光源と、第１レーザ光源から射出されるレーザ光を平行光束にするコリメータレンズと、このコリメータレンズによって平行光束にされた第１レーザ光束を反射させるロングパスフィルタと、このロングパスフィルタによって反射された第１レーザ光束を前記測定対象に向けて反射させるミラーと、このミラーで反射された第１レーザ光束を透過させる前記第１ダイクロイック光学素子とを有し、
前記追尾光照射系は、追尾用の第２レーザ光を射出する第２レーザ光源と、第２レーザ光源から射出される第２レーザ光を平行光束にするコリメータレンズと、このコリメータレンズで平行光束にされた第２レーザ光束を透過する前記ロングパスフィルタと、このロングパスフィルタを透過した第２レーザ光束を前記測定対象に向けて反射させる前記ミラーと、このミラーで反射した第２レーザ光束が前記測定対象に向かって透過する前記第１ダイクロイック光学素子とを有することを特徴とする請求項３に記載の測量装置。
【請求項７】
前記視準光学系は、測定対象である被写体からの光を反射させる前記第１ダイクロイック光学素子と、この第１ダイクロイック光学素子で反射される被写体からの光を入射する合焦レンズ及び結像レンズと、この合焦レンズ及び結像レンズによって結像される測定対象の像を撮像する撮像素子とを有することを特徴とする請求項６に記載の測量装置。
【請求項８】
前記測定光投影系は前記ポインタ光投影系を兼用し、
前記測定対象に投影された測定光としての第１レーザ光束の反射光を受光する測定光受光系を備え、
該測定光受光系は、前記測定対象で反射された第１レーザ光束の反射光を透過させる前記第１ダイクロイック光学素子と、この第１ダイクロイック光学素子を透過した第１レーザ光束の反射光が入射される対物レンズと、この対物レンズを透過した第１レーザ光束の反射光を反射させる第２ダイクロイック光学素子と、この第２ダイクロイック光学素子で反射される第１レーザ光の反射光を受光する測定用受光素子とを有することを特徴とする請求項６または請求項７に記載の測量装置。
【請求項９】
前記追尾受光光学系は、前記測定対象で反射される第２レーザ光の反射光を透過させる前記第１ダイクロイック光学素子と、この第１ダイクロイック光学素子を透過した第２レーザ光の反射光が入射される前記対物レンズと、この対物レンズを透過した第２レーザ光の反射光を透過させる前記第２ダイクロイック光学素子と、この第２ダイクロイック光学素子を透過した第２レーザ光の反射光を受光する追尾用受光素子とを有することを特徴とする請求項８に記載の測量装置。
【請求項１０】
前記測定光投影系のコリメータレンズとロングパスフィルタとの間に配置され、前記コリメータレンズを透過した第１レーザ光束のうち微小量の第１レーザ光束を前記測定用受光素子に向けて反射させ、残りの第１レーザ光を透過させるビームスプリッタと、
このビームスプリッタを透過する第１レーザ光を遮光する第１位置と、前記ビームスプリッタで反射した微小の第１レーザ光を遮光する第２位置とに移動可能なシャッタとを有し、
前記シャッタを第１位置に移動させた際に、前記測定用受光素子に受光される微小の第１レーザ光を参照用レーザ光として使用し、第２位置に移動させた際に前記測定用受光素子に測定用の第１レーザ光を受光させ、
前記シャッタを第１，第２位置に交互に移動させることによって、前記測定用受光素子に参照用レーザ光と測定用の第１レーザ光とを交互に受光させて測定対象までの距離を測定するようにしたことを特徴とする請求項８または請求項９に記載の測量装置。
【請求項１１】
前記第２ダイクロイック光学素子と前記測定用受光素子との間に配置され、測定用の第１レーザ光の受光量を調整する受光絞りを設けたことを特徴とする請求項１０に記載の測量装置。
【発明の詳細な説明】
【技術分野】
【０００１】
この発明は、測定対象にポインタ光を投影するポインタ光投影系を備えた測量装置に関する。
【背景技術】
【０００２】
従来から、ポインタ光を発する可視レーザ光源部を有する可視レーザ投光装置を備えた測量機が知られている(特許文献１参照)。【０００３】
かかる測量機は、可視レーザ投光装置でポインタ光を投影した測定対象を観察する視準光学系を備えている。視準光学系は、視準光軸上に配置された孔空き対物レンズ、合焦レンズ、正立正像プリズム、焦点板、接眼レンズとを有しており、合焦レンズを視準光軸上に沿って移動させることにより、視準点の像が焦点板にピントの合った状態で結像される。【０００４】
作業者は、接眼レンズを介して焦点板上の測量目標物の像を目視することができるようになっている。
【先行技術文献】
【特許文献】
【０００５】
【特許文献１】特開２００４−３１７２５９号公報
【発明の概要】
【発明が解決しようとうする課題】
【０００６】
このような測量機にあっては、赤色の波長以上の光をカットするダイクロイックミラーを設けたり、このダイクロイックミラーを介して測量目標物を撮影する撮影光学系を設けたりする。このため、ダイクロイックミラーを介して視準する測量目標物は赤色がカットされているので、青味の強い測量目標物（測定対象）として視準され、測量目標物は不自然な色になって観察されることになる。
【０００７】
この発明の目的は、測定対象が自然な色味で観察することのできる測量装置を提供することにある。
【課題を解決するための手段】
【０００８】
請求項１の発明は、測定対象に赤色のポインタ光を投影するポインタ光投影系と、
前記ポインタ光が投影された測定対象の位置を測定する測定光学系と、前記測定対象を視準する視準光学系とを備えた測量装置であって、
ポインタ光受光系と前記視準光学系の光路の一部を共通にするとともに、前記ポインタ光の波長帯の光とこの波長帯を挟む両側の波長帯の光を分離させる第１ダイクロイック光学素子を配置し、
該第１ダイクロイック光学素子は、前記ポインタ光の波長帯を挟む両側の波長帯の光を前記視準光学系の撮像素子に受光させることを特徴とする。
【発明の効果】
【０００９】
この発明によれば、測定対象に明るい赤色ポインタを投影することができ、しかも測定対象が自然な色味で観察することができる。
【図面の簡単な説明】
【００１０】
【図１】測量システムのプリズム測距の構成を示した説明図である。
【図２】測量システムのノンプリズム測距の構成を示した説明図である。
【図３】図１及び図２に示す測量機の鏡筒部内に設けた光学系の配置を示した光学配置図である。
【図４】図３のダイクロイックミラーの特性と、このダイクロイックミラーを介在した撮像素子の受光感度を示したグラフである。
【図５】測量機の制御系の構成を示したブロック図である。
【図６】各色の拡散反射率の分光特性を示したグラフである。
【図７】撮像素子のＲ，Ｇ，Ｂにおける受光感度の分光特性を示したグラフである。
【発明を実施するための形態】
【００１１】
以下、この発明に係る測量装置の実施の形態である実施例を図面に基づいて説明する。
【実施例】
【００１２】
図１は、測量システムの構成例を示す。この測量システムは、レーザポインタ付きのトータルステーションである測量装置である測量機１と測定対象２とを備えている。【００１３】
測量機１は、測定対象２を検出した後、略平行光である追尾光４を照射することにより測定対象２を捕捉して追跡する。測定対象２が視準中心になったとき、測量機１は、測距光５を照射することにより測距し、エンコーダ等の角度検出部により測角を行う。【００１４】
測定対象２は、追尾光４、測距光５を反射する反射体であるコーナーキューブ７を備えている。【００１５】
測量機１は、三脚に取り付けられた基板部８と、基板部８に鉛直軸(図示せず)を中心に回転可能に軸支された測量機本体１０と、測量機本体１０に設けられた水平軸(図示せず)を中心に回転可能に軸支された鏡筒部１２とを備えている。
［測定対象がノンプリズムの場合の測量システム］
図２は、測定対象がノンプリズムである場合、例えば、測定対象が壁２′等である場合の測量システムを示す。この測量システムでは、測量機１から可視光のポインタ光Ｐを壁２に投影し、このポインタ光Ｐが壁２′の測定位置２ａに投影されるように測量機１の向きや位置を調整する。【００１６】
ポインタ光Ｐが壁２′の測定位置２ａに投影されていることを目視で確認したら、オペレータは測距スイッチ(図示せず)をオンする。これにより測量機１は測距モードとなって壁２′の測定位置２ａまでの距離を測距する。
［鏡筒部］
鏡筒部１２内には、図３に示すように、追尾光学系３１と、測距光学系（測定光学系）３２と、ポインタ光投影系１００と、撮影光学系（視準光学系）２００とが設けられている。
［追尾光学系］
追尾光学系３１は、追尾光照射系４２と追尾光受光系４３とを有している。追尾光照射系４２は、追尾用レーザ光源(第２レーザ光源)４４と、この追尾用レーザ光源４４から射出された追尾用レーザ光（第２レーザ光）を平行光束にするコリメータレンズ４５と、ロングパスフィルタ４６と、ミラー４７と、ダイクロイックミラー（第１ダイクロイック光学素子）４８と、鏡筒部１２の前面に設けた窓ガラス４９とを有している。追尾用レーザ光源４４から射出された追尾用レーザ光は７９２nmの波長の赤外光であり、窓ガラス４９から追尾光４（図１参照）として追尾用レーザ光が照射されることになる。【００１７】
ロングパスフィルタ４６から窓ガラス４９までの追尾光照射系４２の光路が後述するポインタ光投影系１００の光路の一部と共通となっている。【００１８】
追尾光受光系４３は、窓ガラス４９と、ダイクロイックミラー４８と、対物レンズ５０と、ダイクロイックプリズム（第２ダイクロイック光学素子）５１と、追尾用受光素子５２とを有している。
［ダイクロイックミラー］
ダイクロイックミラー４８は、図４のグラフＧ１に示すように、６２０〜６６０nmの測定光の波長帯の光を透過し、４００〜６００nmの波長帯の光と、６７０〜７５０nmの波長帯の光を反射させる特性を有している。また、測定光の波長帯が６４０nm〜６８０nmの場合には、４００〜６２０nmの波長帯の光と、７００〜７５０nmの波長帯の光を反射させる特性を有する。すなわち、ダイクロイックミラー４８は、６２０〜６６０nmの波長の光に対して、４００〜６００nmの波長の光と、６７０〜７５０nmの波長の光を分離させる機能を有している。
［ダイクロイックプリズム］
ダイクロイックプリズム５１は、反射面５１ｂを有し、反射面５１ｂは７９０nm以上の波長の光を透過させるとともに７９０nmより以下の波長の光を反射するようになっている。【００１９】
追尾用受光素子５２は、ダイクロイックプリズム５１の反射面５１ｂを透過した光を受光するようになっている。
［測距光学系］
測距光学系３２は、測距光照射系(測定投影系)６０と測距光受光系７０とを有している。測距光照射系６０は、測距用とポインタ用とを兼ねた測距/ポインタ用レーザ光源（第１レーザ光源）６１と、この測距/ポインタ用レーザ光源６１から射出されるレーザ光（第１レーザ光）を平行光束にするコリメータレンズ６２と、１％程度の反射率を有するビームスプリッタ６３と、ロングパスフィルタ４６と、ミラー４７と、ダイクロイックミラー４８と、窓ガラス４９とを有している。測距光照射系６０は、追尾光照射系４２のロングパスフィルタ４６から窓ガラス４９までの光路が共通となっている。【００２０】
ビームスプリッタ６３は、測距/ポインタ用レーザ光源６１から射出されるレーザ光を略１％程度反射させ、略９９％のレーザ光を透過するように設定されている。【００２１】
測距光受光系７０は、窓ガラス４９と、ダイクロイックミラー４８と、対物レンズ５０と、ダイクロイックプリズム５１と、受光絞り７１と、測距用受光素子７２とを有している。【００２２】
受光絞り７１は、測距用受光素子７２の受光量を調整する円板７１Ａと、この円板７１Ａを回転させる図示しないモータ等から構成されている。円板７１Ａの回転位置によって受光量を調整するものである。【００２３】
測距光受光系７０は、追尾光受光系４３の窓ガラス４９からダイクロイックプリズム５１の反射面５１ｂまでの光路が共通となっている。１０１は実線の位置（第２位置）と破線の位置（第１位置）に切り換え可能となっているシャッタであり、このシャッタ１０１は第２位置に移動されることによってビームスプリッタ６３を透過したレーザ光を遮光し、第１位置に移動されることによってビームスプリッタ６３で反射したレーザ光を遮光する。
［ポインタ投影光学系］
ポインタ光投影系１００は、ポインタ光Ｐ（図２参照）を測定対象２に向けて投影するものであり、測距光学系３２の測距光照射系６０を兼用し、測定投影系と同一の構成となっている。【００２４】
ポインタを投影する場合にはシャッタ１０１を実線位置に移動させ、測距光照射系６０の参照光として使用する場合には鎖線位置へ移動させる。シャッタ１０１が破線位置へ移動されると、ビームスプリッタ６３で反射した略１％の測距/ポインタ用レーザ光源６１のレーザ光が測距用受光素子７２へ参照光として導かれる。測距/ポインタ用レーザ光源６１から射出されるレーザ光の波長は６２０〜６８０nmの範囲であればよく、ここでは例えば約６３０nmの波長のレーザ光源を使用し、そのレーザ光をポインタレーザ光（ポインタ光Ｐ）と測距用レーザ光（測距光５）として使用する。なお、ポインタ光Ｐと測距光５（図１参照）とは同一光源でなくてもよい。例えば、測距光が不可視光の光源であってもよい。
［撮像光学系］
撮像光学系２００は、ポインタ光Ｐが投影された測定対象２を撮像(視準)するものであり、窓ガラス４９と、ダイクロイックミラー４８と、合焦レンズ２０２と、結像レンズ２０３と、撮像素子２０４とを有している。【００２５】
撮像光学系２００の窓ガラス４９からダイクロイックミラー４８までの光路と、測距光受光系７０の窓ガラス４９からダイクロイックミラー４８までの光路とが共通となっている。すなわち、測距光照射系６０の窓ガラス４９からダイクロイックミラー４８までの光路が共通となっている。【００２６】
撮像光学系２００の撮像素子２０４上に結像された測定対象２の画像は後述する表示部３０２（図５参照）に表示される。
［制御系］
図５は測量機１の制御系の構成を示したブロック図である。【００２７】
図５に示す３０１は測量機本体１０（図１参照）の後面に設けられた操作部であり、この操作部３０１には図示しない各種の操作スイッチが設けられている。３０２は撮像素子２０４が撮像した画像を表示する表示部で、この表示部３０２も測量機本体１０の後面に設けられている。または、分離されたタブレット上に表示できるようになっている。【００２８】
３０３は測量機本体１０を水平回転させる水平駆動部、３０４は鏡筒部１２を垂直回転（水平軸回りに回転）させる鉛直駆動部、３０５は測量機本体１０の水平角を検出する水平角エンコーダ、３０６は鏡筒部１２の鉛直角を検出する鉛直角エンコーダである。【００２９】
３１０は測距用受光素子７２の受光信号や水平角エンコーダ３０５及び鉛直角エンコーダ３０６の検出信号に基づいて測定対象２までの距離や測角を行う演算制御装置である。また、この演算制御装置３１０は、追尾用受光素子５２の受光信号に基づいて、水平駆動部３０３及び鉛直駆動部３０４を制御して追尾の位置合わせを行ったり、測距/ポインタ用レーザ光源６１,追尾用レーザ光源４４の発光等を制御したり、操作部３０１の操作に基づいて各種の制御を行ったりする。【００３０】
［動  作］
次に、上記のように構成される測量機１の動作について説明する。【００３１】
先ず、操作部３０１を操作して測定対象２の方向を探索する探索モードを設定する。【００３２】
測量機１は、水平駆動部３０３及び鉛直駆動部３０４を駆動させて視準の位置合わせを行う。視準が完了すると、測量機１は、測定対象２を追尾する追尾モードに移行する。測量機１は、追尾用レーザ光源４４から追尾用レーザ光を射出させる。【００３３】
この追尾用レーザ光源４４から射出された追尾用レーザ光は、コリメータレンズ４５により平行光束にされ、この平行光束となった追尾用レーザ光（追尾光４）は、ロングパスフィルタ４６を透過するとともにミラー４７で測定対象２に向けて反射され、ダイクロイックミラー４８に達する。追尾用レーザ光は、波長が７５０nm以上なのでダイクロイックミラー４８を透過する。この追尾用レーザ光は測定対象２に向かってダイクロイックミラー４８を透過することになる。この追尾用レーザ光は、さらに窓ガラス４９を透過して測定対象２のコーナーキューブ７に達する。追尾用レーザ光はコーナーキューブ７で反射されて測量機１の窓ガラス４９に入射する。【００３４】
窓ガラス４９に入射した追尾用レーザ光は、ダイクロイックミラー４８を透過し、対物レンズ５０を介してダイクロイックプリズム５１に入射する。ダイクロイックプリズム５１に入射した追尾用レーザ光は、波長が７９２nmであることにより、ダイクロイックプリズム５１の反射面５１ｂを透過して追尾用受光素子５２に受光される。【００３５】
演算制御装置３１０は、追尾用受光素子５２の受光信号に基づいて追尾の位置合わせを行う。追尾の位置合わせでは、受光した追尾用レーザ光の重心位置が追尾用受光素子５２の中心位置（視準中心）となるように位置を合わせる。そして、視準中心になったとき、測量機１は測距・測角を行う測定モードに移行する。【００３６】
測定モードになると、追尾用レーザ光源４４からの追尾用レーザ光の射出は停止され、シャッタ１０１は実線位置へ移動される。そして、ポインタ光投影系１００の測距/ポインタ用レーザ光源６１からポインタ用レーザ光が射出される。この射出されたポインタ用レーザ光はコリメータレンズ６２により平行光束にされ、平行光束となったポインタ用レーザ光は、ビームスプリッタ６３を透過し、ロングパスフィルタ４６で反射され、さらにミラー４７により測定対象２に向けて反射されてダイクロイックミラー４８に達する。【００３７】
ポインタ用レーザ光は６３０nmの波長であり、ダイクロイックミラー４８は６２０〜６６０nmの波長の光を透過するので、ポインタ用レーザ光はダイクロイックミラー４８を透過する。【００３８】
このダイクロイックミラー４８を透過したポインタ用レーザ光は窓ガラス４９を透過して、測定対象２のコーナーキューブ７に達する。ポインタ用レーザ光(ポインタ光Ｐ)は波長が６３０nmであり、明るい赤色の光である。【００３９】
測定対象２のコーナーキューブ７に達したポインタ用レーザ光は、ここで反射して測量機１の窓ガラス４９に入射し、ダイクロイックミラー４８を透過する。【００４０】
一方、測定対象２である被写体の光は、測量機１の鏡筒部１２の窓ガラス４９に入射してダイクロイックミラー４８に達する。ダイクロイックミラー４８は、図４に示すように、可視光である４００〜６００nmの波長帯の光と６７０〜７５０nmの波長帯の光とを反射するので、この可視光は、ダイクロイックミラー４８によって反射されて、合焦レンズ２０２及び結像レンズ２０３を介して撮像素子２０４に達し、撮像素子２０４上に測定対象２の像が結像される。そして、測定対象２の像が表示部３０２に表示される。【００４１】
図２に示す測量システムにあっても、上記と同様に、測定対象の壁２′に明るい赤色のポインタ光Ｐが投影されるので、オペレータはそのポインタ光Ｐが投影されていることを明瞭に目視することができる。また、図２の測量システムも上記と同様にして測定対象である壁２′の像が表示部３０２に表示されることになる。【００４２】
ところで、ダイクロイックミラー４８は、６２０〜６６０nmの波長帯の光、すなわち赤色の光を透過するので、撮像素子２０４上に結像される像は赤色が抜けており、このため青味の強い像となる。しかし、ダイクロイックミラー４８は、６７０〜７５０nmの波長帯の赤色の光を反射させるので、抜けた赤色を十分にカバーすることになり、像が青味掛ってしまうことを十分に抑制することができる。このため、表示部３０２に表示される画像、すなわち測定対象２や壁２′の画像は自然な色味となり、大変見易いものとなる。【００４３】
以下に、画像が自然な色味となる理由を詳細に説明する。【００４４】
図６は各色画用紙等のサンプルの拡散反射率（正反射率を含まない）の分光特性を示す。また、図７は撮像素子２０４のＲ，Ｇ，Ｂにおける受光感度の分光特性のグラフＧｒ，Ｇｇ，Ｇｂを示す。そして、図４には、ダイクロイックミラー４８を介在させた場合の撮像素子２０４のＲ，Ｇ，Ｂにおける受光感度の分光特性のグラフＧ２ｒ，Ｇ２ｇ，Ｇ２ｂを示す。【００４５】
図６に示すように、６２０〜６６０nmの範囲の波長帯では、赤色を除いた他の色、例えば緑色及び青色の分光特性のグラフＦｇ，Ｆｂがほぼ一定となっている。赤色は、分光特性のグラフＦｒから分かるように、その波長帯では光強度は大きくなっている。この６２０〜６６０nmの範囲の波長帯の光がダイクロイックミラー４８でカットされて撮像素子２０４に受光されることになる。すなわち、赤色は光強度の大きい部分がカットされて、撮像素子２０４に受光されることになる。同様に、緑色及び青色も６２０〜６６０nmの範囲の波長帯の光がダイクロイックミラー４８でカットされて撮像素子２０４に受光される。【００４６】
しかし、図４のグラフＧ２ｒに示すように、６７０〜７５０nmの波長帯では、赤色の受光感度が大きくなっている。このため、ダイクロイックミラー４８でカットされた６２０〜６６０nmの範囲の赤色が補完されるのと同じような状態となる。【００４７】
同様に、６７０〜７５０nmの波長帯では、緑色及び青色の受光感度があるので、カットされた６２０〜６６０nmの範囲の緑色及び青色が補完されるのと同じ状態となる。しかし、６７０〜７５０nmの波長帯の青色の受光感度は小さく、このため、青色が補完される量は小さい。【００４８】
このため、撮像素子２０４が撮像する画像は、青味が抑制された自然な色味に近いものとなり、表示部３０２に表示される測定対象２や壁２′の画像は大変見易い画像となる。【００４９】
このように、ダイクロイックミラー４８は、図６のグラフＦｒ,Ｆｇ,Ｆｂに示すように、赤色の強度が大きく、緑色及び青色の強度が小さい波長帯（６７０〜７５０nm）の光を反射させるようにしたものであるから、測定対象２や壁２′の画像は大変見易い画像となる。【００５０】
この後、測距モードに移行し、シャッタ１０１が破線位置へ移動され、ビームスプリッタ６３で反射した略１％の測距用レーザ光が参照用レーザ光として光ファイバ(図示せず)に導入されて測距用受光素子７２に導かれる。この後、シャッタ１０１は実線位置へ移動され、測距/ポインタ用レーザ光源６１から射出される測距用レーザ光が上記と同様にしてコリメータレンズ６２、ビームスプリッタ６３、ロングパスフィルタ４６、ミラー４７、ダイクロイックミラー４８、窓ガラス４９を介して測定対象２のコーナーキューブ７（図２の測量システムでは壁２′の測定位置）に達し、ここで反射して測量機１の窓ガラス４９に入射し、ダイクロイックミラー４８及び対物レンズ５０を介してダイクロイックプリズム５１へ入射し、上記と同様にして測距用受光素子７２に受光される。【００５１】
測距用受光素子７２は、参照用レーザ光と測距用レーザ光とを交互に受光し、演算制御装置３１０の演算部(図示せず)が両者の位相差を求めて測定対象２（壁２′の測定位置２ａ）までの距離を求める。【００５２】
なお、受光絞り７１は参照用レーザ光と測距用レーザ光との光強度が同じとなるように、回転位置によって調整するものである。【００５３】
演算制御装置３１０は、測定対象２までの距離を求めるとともに、水平角エンコーダ３０５及び鉛直角エンコーダ３０６により水平角及び鉛直角を算出する。【００５４】
上記実施例では、ポインタ光Ｐの波長は６２０〜６６０nmであり、ダイクロイックミラー４８は、６２０〜６６０nmの波長の光に対して、４００〜６００nmの波長の光と、６７０〜７５０nmの波長の光を分離させているが、図４のグラフに示すように、ポインタ光Ｐの波長は６２０〜６６０nmであり、ダイクロイックミラー４８は、６４０〜６８０nmの波長の光に対して、４００〜６２０nmの波長の光と、６９０〜７５０nmの波長の光を分離させるようにしても、上記と同様な効果を得ることができる。【００５５】
また、上記実施例では、測距光照射系６０、測距光受光系７０、追尾光照射系４２、ポインタ光投影系１００、撮影光学系２００の光軸がそれぞれ一部で同軸となっているが、必ずしも同軸である必要はなく、全ての光軸は非同軸であってもよい。また、ダイクロイックミラー４８はプリズムなどの光学素子であってもよく、ダイクロイックプリズム５１はプリズムでなくてもよい。例えばミラー等の光学素子であってもよい。【００５６】
また、上記実施例では、トータルステーションの測量機１に適用したものについて説明したが、これに限らず、ポインタが投影された測定対象までの距離だけを測定する測量機（測量装置）や、ポインタを投影する３次元レーザスキャナー（測量装置）にも適用できる。【００５７】
この発明は、上記実施例に限られるものではなく、請求の範囲の各請求項に係る発明の要旨を逸脱しない限り、設計の変更や追加などは許容される。
関連出願の相互参照
本出願は、２０１４年９月１０日に日本国特許庁に出願された特願２０１４-１８４２８４に基づいて優先権を主張し、その全ての開示は完全に本明細書で参照により組み込まれる。  
【図１】
2016039053.tif 000003
【図２】
2016039053.tif 000004
【図３】
2016039053.tif 000005
【図４】
2016039053.tif 000006
【図５】
2016039053.tif 000007
【図６】
2016039053.tif 000008
【図７】
2016039053.tif 000009
【国際調査報告】
2016039053.tif 000010
2016039053.tif 000011
2016039053.tif 000012
2016039053.tif 000013